(57)【要約】  【課題】単純な構造の回転板を用いて光を各色に分離することでコストダウンが図れるカラープロジェクタを提供する。  【解決手段】ランプ１０から発せられた白色光をそれぞれ赤色光Ｒ、緑色光Ｇ、青色光Ｂに分離する３つのダイクロイックミラーからなる第１のミラー群１１と、不透明な円板の一部に円周方向に略１８０°の角度をおいて形成された１対の透明なスリット部を有し、回転位置に応じて、第１のミラー群１１で分離された各色光のうちのいずれか１つの色光をスリット部を介して透過させる回転スリット板１３と、回転スリット板１３を挟んで第１のミラー群１１の各ダイクロイックミラーと対向して設けられ、回転スリット板１３を透過した赤色光Ｒ、緑色光Ｇ、青色光Ｂを反射してＤＭＤ１５へ照射する３つのダイクロイックミラーからなる第２のミラー群１２とを設けた。【選択図】  図２
2006317834.tif 000002
【特許請求の範囲】
【請求項１】
光源から発せられた白色光を赤、緑、青の各色光に分離し、分離された色光をＤＭＤ（Digital Micromirror Device）に照射してカラー画像を生成し、生成されたカラー画像を投影レンズを介してスクリーン上に投射するカラープロジェクタにおいて、
前記白色光を発するランプと、
前記ランプから発せられた白色光をそれぞれ赤色光、緑色光、青色光に分離する３つのダイクロイックミラーからなる第１のミラー群と、
不透明な円板の一部に、円周方向に略１８０°の角度をおいて形成された１対の透明なスリット部を有し、回転位置に応じて、前記第１のミラー群で分離された各色光のうちのいずれか１つの色光を前記スリット部を介して透過させる回転スリット板と、
前記回転スリット板を挟んで前記第１のミラー群の各ダイクロイックミラーと対向して設けられ、前記回転スリット板を透過した赤色光、緑色光、青色光を反射して前記ＤＭＤへ照射する３つのダイクロイックミラーからなる第２のミラー群と、
を備えたことを特徴とするカラープロジェクタ。
【請求項２】
光源から発せられた光を複数の色光に分離し、分離された色光をＤＭＤ（Digital Micromirror Device）に照射してカラー画像を生成し、生成されたカラー画像を投影レンズを介してスクリーン上に投射するカラープロジェクタにおいて、
前記光源から発せられた光を複数の色光に分離する複数のダイクロイックミラーからなる第１のミラー群と、
不透明な円板の一部に透明なスリット部を有し、回転位置に応じて、前記第１のミラー群で分離された色光を前記スリット部を介して透過させる回転スリット板と、
前記回転スリット板を挟んで前記第１のミラー群の各ダイクロイックミラーと対向して設けられ、前記回転スリット板を透過した色光を反射して前記ＤＭＤへ照射する複数のダイクロイックミラーからなる第２のミラー群と、
を備えたことを特徴とするカラープロジェクタ。
【請求項３】
請求項２に記載のカラープロジェクタにおいて、
前記回転スリット板のスリット部は、円板の円周方向に略１８０°の角度をおいて１対形成されていることを特徴とするカラープロジェクタ。
【請求項４】
請求項１ないし請求項３のいずれかに記載のカラープロジェクタにおいて、
前記回転スリット板は、透明な円板に前記スリット部を残して不透明膜が形成されたものであることを特徴とするカラープロジェクタ。
【請求項５】
請求項１ないし請求項３のいずれかに記載のカラープロジェクタにおいて、
前記回転スリット板のスリット部は、不透明な円板の一部に形成された開口部からなることを特徴とするカラープロジェクタ。
【発明の詳細な説明】
【技術分野】
【０００１】
本発明は、ＤＭＤ（Digital Micromirror Device）を用いたカラープロジェクタに関するものである。
【背景技術】
【０００２】
図６は、従来のカラープロジェクタ５０の概略構成を示した図である。５１は白色光を発するランプ、５２はランプ５１からの白色光を赤色光、緑色光、青色光に分離するカラーホイール、５３はカラーホイールで分離された各色光を導く光学系、５４は光学系５３から照射される各色光に基づいて画像を形成するＤＭＤ（Digital Micromirror Device）、５５はＤＭＤ５４で形成された画像を図示しないスクリーンに投射する投影レンズ、５６はビデオ入力信号やグラフィック入力信号などの画像信号に対して所定の処理を行う信号処理部、５７は各部の動作の制御を行うコントローラである。
【０００３】
カラーホイール５２は、赤、緑、青のカラーフィルタが円周方向に交互に配列された円板からなり、図示しないモータにより回転する。カラーホイール５２が回転すると、ランプ５１から発せられた白色光が、カラーホイール５２の回転位置に応じて赤、緑、青のカラーフィルタのいずれかを透過し、これによって白色光は、順次赤色光、緑色光、青色光に分離される。
【０００４】
ＤＭＤ５４は、半導体メモリ上に数十万個の微小なマイクロミラーが集積されたもので、メモリセルが割り当てられた個々のマイクロミラーにより画素が構成される。マイクロミラーは、２方向に傾動することができる構造になっていて、メモリ値に応じて静電吸引力によりいずれかの方向に傾動し、傾動方向によってＯＮ／ＯＦＦの２値の状態をとる。マイクロミラーがＯＮ状態にあるときは、ミラーで反射された光は投影レンズ５５に取り込まれ、投影レンズ５５を介してスクリーン上に投射される。一方、マイクロミラーがＯＦＦ状態にあるときは、ミラーで反射された光は投影レンズ５５に取り込まれず、スクリーン上に投射されない。したがって、信号処理部５６から出力される信号（ＲＧＢ信号をビットプレーンフォーマットに変換した信号）に基づいて、個々のマイクロミラーの動作状態をＯＮ／ＯＦＦに制御することで、ＤＭＤ５４に所定のカラー画像を形成することができる。この場合、コントローラ５７によって、カラーホイール５２の回転とＤＭＤ５４の駆動との同期がとられる。
【０００５】
ＤＭＤを用いたカラープロジェクタは、例えば後掲の特許文献１に記載されている。この特許文献１では、白色光源からの光をダイクロイックミラーにより赤、緑、青の光束に分離してレンチキュラレンズ、ガルバノミラーおよびカップリングレンズを介してＤＭＤパネル上に結像させ、ガルバノミラーの回動によりＤＭＤパネルから変調した光を投射レンズによってスクリーン上に投射するようにしている。
【０００６】
また、後掲の特許文献２には、光源からの光を光分離手段により赤、緑、青の光束に分離して液晶表示素子に照射し、この液晶表示素子で変調された各光束を合成して表示画面上でカラー表示するカラー液晶表示装置において、上記光分離手段を、複数のくさび形状のダイクロイックミラーを貼り合わせたものから構成することにより、ダイクロイックミラーから液晶表示素子までの距離を小さくして機器の小型化を図るとともに、ダイクロイックミラーの各反射面の調整を簡単にすることが記載されている。
【０００７】
また、後掲の特許文献３には、光源からの白色光をダイクロイックミラーにより赤、緑、青の色光に分離して液晶パネルに入射させ、液晶パネルで変調された光で画像投影を行う液晶プロジェクタにおいて、レンズアレイで平行光の空間的なエネルギー分布を均一化し、ダイクロイックミラーで複数の色光に色分解し、ＰＢＳプリズムアレイで入射光を偏光方向の異なる２つの偏光成分に分離し、１／２波長板で一方の偏光成分を他方の偏光成分と同じ偏光方向の偏光成分に変換することにより、色再現性を良好に保ったまま光利用効率を上げて、明るく高品質な投写画像を得ることが記載されている。
【特許文献１】特開２０００−１３７１９１号公報
【特許文献２】特開平１１−６４８４７号公報
【特許文献３】特開２００２−４０４１６号公報
【発明の開示】
【発明が解決しようとする課題】
【０００８】
図６に示した従来のカラープロジェクタにあっては、カラーホイール５２のカラーフィルタは、赤色に着色された扇形のガラスと、緑色に着色された扇形のガラスと、青色に着色された扇形のガラスとからなり、これらの着色ガラスが接合されることにより、カラーホイール５２が構成されている。しかしながら、このようなカラーホイール５２は、その製造過程においてガラスの接合作業が必要となるため、コストが高くなるという欠点がある。また、カラーホイール５２の円板が複数のガラスの集合体からなるので、円板の精度を出すのが難しく、偏心やそり等が生じやすくなる。さらに、着色ガラスからなるカラーフィルタは光を吸収するため、投射される画像の輝度が低下するという問題もある。
【０００９】
前述の特許文献１では、ＤＭＤ方式のカラープロジェクタにおいて、カラーホイールに代えてダイクロイックミラーやガルバノミラーを用いることで、上述した問題を解消することができるが、その一方で、回動式のガルバノミラーは駆動機構が複雑であり、また、本文献の方式では、赤、緑、青の光束の組をＤＭＤパネル上に結像させる必要があるので、ガルバノミラーの制御に高い精度が要求される。これらのことから、特許文献１の装置はコストが高くなるという難点がある。
【００１０】
また、特許文献２および特許文献３には、液晶式のプロジェクタにおいてダイクロイックミラーを用いた構成が記載されているが、回転板を用いて複数の色光に分離することは記載されておらず、これらの文献では上述したような技術的課題を解決することはできない。
【００１１】
本発明は、上記課題に鑑み、単純な構造の回転板を用いて光を各色に分離することでコストダウンが図れるカラープロジェクタを提供することを目的としている。
【課題を解決するための手段】
【００１２】
本発明は、光源から発せられた光を複数の色光に分離し、分離された色光をＤＭＤに照射してカラー画像を生成し、生成されたカラー画像を投影レンズを介してスクリーン上に投射するカラープロジェクタにおいて、光源から発せられた光を複数の色光に分離する複数のダイクロイックミラーからなる第１のミラー群と、  不透明な円板の一部に透明なスリット部を有し、回転位置に応じて、第１のミラー群で分離された色光をスリット部を介して透過させる回転スリット板と、この回転スリット板を挟んで第１のミラー群の各ダイクロイックミラーと対向して設けられ、回転スリット板を透過した色光を反射してＤＭＤへ照射する複数のダイクロイックミラーからなる第２のミラー群とを備えたものである。
【００１３】
本発明では、従来のカラーホイールに代えて、円板の一部に透明なスリット部を有する回転スリット板を用いるので、カラーホイールのように複数のガラスを接合する作業が不要であり、回転スリット板を安価に、しかも偏心やそり等も生じず高精度に製作することができる。また、光が透過するスリット部は透明で、カラーフィルタのように光が吸収されることがないので、投射画像の輝度を高く維持して明るい画像を得ることができる。さらに、特許文献１のようなガルバノミラーを用いないので、コストの上昇を抑制することができる。
【００１４】
回転スリット板のスリット部の数は任意であり、１つだけであってもよいし、円板の円周方向に所定角度をおいて複数のスリット部を形成してもよい。スリット部が１つだけの場合は、回転スリット板が１回転することでスリット部を光が透過するが、例えば、円周方向に略１８０°の角度をおいて１対のスリット部を形成した場合は、回転スリット板が半回転するたびにスリット部を光が透過するので、光を分離する速度を上げて一層鮮明な画像を形成することができる。
【００１５】
回転スリット板は、透明な円板にスリット部を残して不透明膜を形成することにより製作することができる。透明円板の材質は、合成樹脂であってもよいし、ガラスであってもよい。不透明膜は、例えば金属膜の接着や、金属蒸着などの方法によって形成される。これによると、透明な円板を用意して、これに不透明膜を形成するだけで、簡単に回転スリット板を製作することができる。
【００１６】
また、上記に代えて、不透明な円板の一部に開口部を形成することにより、この開口部をスリット部としてもよい。不透明円板の材質は、鉄板のような金属であってもよいし、不透明な合成樹脂であってもよい。金属の場合は、打ち抜き加工により開口部を形成することができ、合成樹脂の場合は成型時に開口部を形成することができる。これによると、不透明な円板に開口部を形成するだけで、簡単に回転スリット板を製作することができる。
【発明の効果】
【００１７】
本発明によれば、回転スリット板の製作にあたって、従来のカラーホイールのような接合作業が不要となるので、回転スリット板を安価で高精度に製作することができるとともに、スリット部における光の吸収がないので、高輝度の明るい画像を得ることができる。また、複雑な機構の光分離手段を用いないので、装置のコストダウンを図ることができる。
【発明を実施するための最良の形態】
【００１８】
以下、本発明の実施形態につき図面を参照して説明する。図１は、本発明の実施形態に係るカラープロジェクタ１の外観図である。図１において、２はカラープロジェクタ１の本体、３はこの本体２の前面に設けられた投射部、４は本体２の前面に設けられたリモコン受信部、５は本体２の側面に設けられた電源スイッチ、６は本体２の上面に設けられた操作部である。リモコン受信部４は、図示しないリモコンからの信号を受信する。操作部６には、メニューボタン、選択ボタン、モード切替ボタン、入力切替ボタンなどの各種ボタンが設けられている。なお、リモコンにも、上記ボタンと同様のボタンが設けられている。
【００１９】
図２は、カラープロジェクタ１の構成を示したブロック図である。１０は白色光を発するランプ、１１はこのランプ１０から発せられた白色光をそれぞれ青色光Ｂ、緑色光Ｇ、赤色光Ｒに分離する３つのダイクロイックミラー１１ｂ，１１ｇ，１１ｒからなるミラー群、１２は第１のミラー群１１の各ダイクロイックミラー１１ｂ，１１ｇ，１１ｒと対向して設けられた３つのダイクロイックミラー１２ｂ，１２ｇ，１２ｒからなる第２のミラー群、１３は第１のミラー群１１と第２のミラー群１２との間に設けられた回転スリット板である。回転スリット板１３の詳細については後述する。
【００２０】
１４は第２のミラー群１２で反射された光を導くための導光部であって、例えば、内面に鏡面加工を施した中空の筒体からなる。１５はＤＭＤ（Digital Micromirror Device）であって、前述のように、半導体メモリ上に集積されたマイクロミラー（図示省略）を有し、マイクロミラーの傾動方向に応じたＯＮ／ＯＦＦ状態により、ミラーで反射された光の方向を切り替える。１６はＤＭＤ１５から出射する画像光をスクリーンＳ上に投影するための投影レンズである。
【００２１】
１７は、ビデオ入力信号やグラフィック入力信号などの画像信号に対して、フォーマット変換などの処理を行う信号処理部、１８は各部の動作の制御を行うコントローラ、１９は回転スリット板１３を回転させるモータである。４は図１で示したリモコン受信部、６は図１で示した操作部である。２０は各部へ電源を供給するための電源部、２１は電源ランプなどからなる表示部である。
【００２２】
ミラー群１１において、ダイクロイックミラー１１ｂは、ランプ１０からの白色光のうち青色光Ｂを反射し、緑色光Ｇと赤色光Ｒを透過する。ダイクロイックミラー１１ｇは、ダイクロイックミラー１１ｂを透過した光のうち緑色光Ｇを反射し、赤色光Ｒを透過する。ダイクロイックミラー１１ｒは、ダイクロイックミラー１１ｇを透過した赤色光Ｒを反射する。また、ミラー群１２において、ダイクロイックミラー１２ｂは、ダイクロイックミラー１１ｂで反射した青色光Ｂを反射するとともに、ダイクロイックミラー１２ｇ、１２ｒからの緑色光Ｇ、赤色光Ｒを透過する。ダイクロイックミラー１２ｇは、ダイクロイックミラー１１ｇで反射した緑色光Ｇを反射するとともに、ダイクロイックミラー１２ｒからの赤色光Ｒを透過する。ダイクロイックミラー１２ｒは、ダイクロイックミラー１１ｒで反射した赤色光Ｒを反射する。
【００２３】
図３は、回転スリット板１３の構造を示した図であって、（ａ）は斜視図、（ｂ）は平面図である。回転スリット板１３は、透明な円板１３３の上面に不透明膜１３２を形成したものであり、不透明膜１３２の存在しない部分は、透明なスリット部１３１Ａ，１３１Ｂとなっている。このスリット部１３１Ａ，１３１Ｂは、円板１３３の円周方向に略１８０°の角度をおいて１対形成されている。円板１３３は透明な合成樹脂からなるが、ガラスであってもよい。また、不透明膜１３２は、金属膜を接着剤で接着したり、金属蒸着加工を施すことにより形成される。あるいは、塗料を塗布するなどの方法で不透明膜１３２を形成してもよい。
【００２４】
回転スリット板１３とミラー群１１の各ダイクロイックミラー１１ｂ，１１ｇ、１１ｒとの平面的な位置関係は、図３（ｂ）に示すようになっている。すなわち、図のように、例えば回転スリット板１３のスリット部１３１Ａがダイクロイックミラー１１ｇの上に来たときは、ダイクロイックミラー１１ｇでの反射光のみがスリット部１３１Ａを透過し、他のダイクロイックミラー１１ｂ，１１ｒでの反射光は、回転スリット板１３の不透明膜１３２により光の透過が遮断される。同様にして、スリット部１３１Ａがダイクロイックミラー１１ｂの上に来たときは、ダイクロイックミラー１１ｂでの反射光のみがスリット部１３１Ａを透過し、他のダイクロイックミラー１１ｇ，１１ｒでの反射光は遮断される。また、スリット部１３１Ａがダイクロイックミラー１１ｒの上に来たときは、ダイクロイックミラー１１ｒでの反射光のみがスリット部１３１Ａを透過し、他のダイクロイックミラー１１ｂ，１１ｇでの反射光は遮断される。スリット部１３１Ｂについても同様である。
【００２５】
次に、以上の構成からなるカラープロジェクタ１の動作を、図２および図４を参照しつつ説明する。回転スリット板１３が図４（ａ）の位置にあるときは、回転スリット板１３の不透明膜１３２が、ミラー群１１のすべてのダイクロイックミラー１１ｂ，１１ｇ、１１ｒを覆っているため、どのダイクロイックミラー１１ｂ，１１ｇ、１１ｒで反射された光も、スリット部１３１Ａ，１３１Ｂを透過してミラー群１２のダイクロイックミラー１２ｂ，１２ｇ、１２ｒへ至ることはない。したがって、ＤＭＤ１５において画像は形成されない。
【００２６】
回転スリット板１３が、図４（ａ）の位置から矢印方向に回転して、図４（ｂ）の位置に来ると、スリット部１３１Ａがダイクロイックミラー１１ｂの上に位置する。このため、ダイクロイックミラー１１ｂで反射された青色光Ｂが、スリット部１３１Ａを透過する。このとき、前述したように、ダイクロイックミラー１１ｇで反射された緑色光Ｇと、ダイクロイックミラー１１ｒで反射された赤色光Ｒは、いずれも不透明膜１３２で遮断され、回転スリット板１３を透過しない。スリット部１３１Ａを透過した青色光Ｂは、これと対向するダイクロイックミラー１２ｂへ入射する。ダイクロイックミラー１２ｂは、この青色光Ｂを反射し、反射された青色光Ｂは、導光部１４を介してＤＭＤ１５へ照射される。
【００２７】
また、回転スリット板１３がさらに回転して、図４（ｃ）の位置に来ると、スリット部１３１Ａがダイクロイックミラー１１ｇの上に位置する。このため、ダイクロイックミラー１１ｇで反射された緑色光Ｇが、スリット部１３１Ａを透過する。このとき、ダイクロイックミラー１１ｂで反射された青色光Ｂと、ダイクロイックミラー１１ｒで反射された赤色光Ｒは、いずれも不透明膜１３２で遮断され、回転スリット板１３を透過しない。スリット部１３１Ａを透過した緑色光Ｇは、これと対向するダイクロイックミラー１２ｇへ入射する。ダイクロイックミラー１２ｇは、この緑色光Ｇを反射し、反射された緑色光Ｇはダイクロイックミラー１２ｂを透過して、導光部１４を介してＤＭＤ１５へ照射される。
【００２８】
回転スリット板１３がさらに回転して、図４（ｄ）の位置に来ると、スリット部１３１Ａがダイクロイックミラー１１ｒの上に位置する。このため、ダイクロイックミラー１１ｒで反射された赤色光Ｒが、スリット部１３１Ａを透過する。このとき、ダイクロイックミラー１１ｂで反射された青色光Ｂと、ダイクロイックミラー１１ｇで反射された緑色光Ｇは、いずれも不透明膜１３２で遮断され、回転スリット板１３を透過しない。スリット部１３１Ａを透過した赤色光Ｒは、これと対向するダイクロイックミラー１２ｒへ入射する。ダイクロイックミラー１２ｒは、この赤色光Ｒを反射し、反射された赤色光Ｒはダイクロイックミラー１２ｇ，１２ｂを透過して、導光部１４を介してＤＭＤ１５へ照射される。
【００２９】
このようにして、ダイクロイックミラーからなるミラー群１１，１２と回転スリット板１３とを用いることにより、ランプ１０から発せられた白色光を赤、緑、青の各色光Ｒ，Ｇ，Ｂに分離してＤＭＤ１５に照射することができる。この場合、回転スリット板１３のスリット部１３１Ａ（または１３１Ｂ）と、ミラー群１１の各ダイクロイックミラー１１ｂ，１１ｇ、１１ｒとの位置関係に応じて、ミラー群１１で分離された各色光Ｒ，Ｇ，Ｂのうち、いずれか１つの色光のみが回転スリット板１３のスリット部を透過し、ミラー群１２の対応するダイクロイックミラーで反射されてＤＭＤ１５に照射される。なお、図４（ａ）のように回転スリット板１３の不透明膜１３２が、ミラー群１１のすべてのダイクロイックミラーを覆っている期間では、ＤＭＤ１５に光が照射されないが、回転スリット板１３は高速で回転するため、上記のブランク期間があっても、残像効果により人の目に違和感を与えることはない。
【００３０】
ＤＭＤ１５においては、信号処理部１７から出力される信号に基づいて、前述したようにマイクロミラーのＯＮ／ＯＦＦを制御し、ＯＮ状態のマイクロミラーで反射された光は投影レンズ１６に取り込み、ＯＦＦ状態のマイクロミラーで反射された光は投影レンズ１６に取り込まないように振り分けて、照射された光による画像を形成する。この場合、コントローラ１８は、モータ１９による回転スリット板１３の回転と、信号処理部１７によるＤＭＤ１５の駆動タイミングとの間の同期をとる。ＤＭＤ１５で形成された画像は、投影レンズ１６を介してスクリーンＳに投影され、スクリーンＳ上には各色が合成されたカラー画像が表示される。
【００３１】
以上のように、上記実施形態では、ランプ１０からの白色光をミラー群１１の各ダイクロイックミラーで赤色光Ｒ、緑色光Ｇ、青色光Ｂに分離し、分離した各色光を、回転スリット板１３の回転位置に応じてスリット部１３１Ａ，１３１Ｂで選択的に透過させ、透過した各色光を、ミラー群１２の各ダイクロイックミラーで反射してＤＭＤ１５へ照射するようにしている。このため、透明なスリット部１３１Ａ，１３１Ｂが形成された回転スリット板１３を用いることで、カラーホイールのようなガラスの接合作業が不要となり、回転スリット板１３を安価に、しかも偏心やそり等が生じることなく高精度に製作することができる。また、光が透過するスリット部１３１Ａ，１３１Ｂは透明であるから、カラーフィルタのように光が吸収されず、投影レンズ１６から投影される画像が高輝度となって、スクリーンＳ上に明るい画像を表示させることができる。さらに、ガルバノミラーのような複雑な機構の光分離手段を用いないので、コストダウンを図ることができる。
【００３２】
また、上記実施形態では、回転スリット板１３のスリット部１３１Ａ，１３１Ｂは、円板１３３の円周方向に略１８０°の角度をおいて１対形成されているので、回転スリット板１３が半回転するたびにスリット部１３１Ａまたは１３１Ｂを各色光が透過することになる。スリット部が１つだけの場合は、回転スリット板１３が１回転することでスリット部を各色光が透過するので、光が透過されないブランク期間が長くなって、画像の質が低下するおそれがあるが、上記実施形態では、このブランク期間が半分となるので、鮮明な画像を得ることができる。
【００３３】
さらに、上記実施形態では、回転スリット板１３が透明な円板１３３にスリット部１３１Ａ，１３１Ｂを残して不透明膜１３２を形成することにより製作されるため、回転スリット板１３を容易に製作することができる。
【００３４】
図５は、本発明で用いる回転スリット板の他の例を示している。ここでの回転スリット板１３ａは、例えば鉄板からなる不透明な円板１３ｂの一部に開口部１３ｃ、１３ｄを形成し、この開口部１３ｃ、１３ｄをスリット部としたものである。すなわち、開口部１３ｃ、１３ｄは、図３におけるスリット部１３１Ａ，１３１Ｂに相当している。開口部１３ｃ、１３ｄは、円板１３ｂに打ち抜き加工を施すことにより形成される。なお、円板１３ｂは鉄板などの金属に限られるものではなく、不透明な合成樹脂であってもよい。合成樹脂の場合は、成型時に開口部１３ｃ、１３ｄが形成される。このような構造の回転スリット板１３ａの場合も、不透明な円板１３ｂに開口部１３ｃ、１３ｄを形成するだけで、簡単に回転スリット板１３ａを製作することができる。
【００３５】
本発明は、以上述べた以外にも種々の実施形態を採用することができる。例えば、上記実施形態では、回転スリット板１３に略１８０°の角度をおいて２個のスリット部１３１Ａ，１３１Ｂを設けた例を示したが、スリット部の数や配列はこれに限定されるものではなく、ミラー群１１，１２の各ダイクロイックミラーとの位置関係により、スリット部は任意の数、任意の配列で設けることができる。例えば、９０°の角度をおいて４個のスリット部を設けたり、６０°の角度をおいて６個のスリット部を設けたりすることも可能である。
【００３６】
また、上記実施形態では、回転スリット板１３の回転位置に応じて、ミラー群１１で分離された各色光Ｒ，Ｇ，Ｂのうち、いずれか１つの色光のみをスリット部１３１Ａ，１３１Ｂを介して透過させる例を挙げたが、ダイクロイックミラーとの位置関係や、スリット部の幅などを適当に選定することにより、２つの色光が同時に透過するスリット部を回転スリット板１３に追加してもよい。これによると、赤、緑、青の単色光に加えて、合成光もＤＭＤ１５へ照射することが可能となる。
【図面の簡単な説明】
【００３７】
【図１】本発明の実施形態に係るカラープロジェクタの外観図である。
【図２】カラープロジェクタの構成を示したブロック図である。
【図３】回転スリット板の構造を示した図である。
【図４】回転スリット板による光の分離を説明する図である。
【図５】回転スリット板の他の例を示す平面図である。
【図６】従来のカラープロジェクタの概略構成を示した図である。
【符号の説明】
【００３８】
１    カラープロジェクタ
１０  ランプ
１１  ミラー群
１１ｂ，１１ｇ，１１ｒ  ダイクロイックミラー
１２  ミラー群
１２ｂ，１２ｇ，１２ｒ  ダイクロイックミラー
１３  回転スリット板
１３ａ  回転スリット板
１３ｂ  円板
１３ｃ，１３ｄ  開口部（スリット部）
１５  ＤＭＤ
１６  投影レンズ
１３１Ａ，１３１Ｂ  スリット部
１３２  不透明膜
１３３  円板
Ｓ  スクリーン
【図１】
2006317834.tif 000003
【図２】
2006317834.tif 000004
【図３】
2006317834.tif 000005
【図４】
2006317834.tif 000006
【図５】
2006317834.tif 000007
【図６】
2006317834.tif 000008